(57)【要約】【課題】平面状ダンボール材を折り曲げて箱形またはロ字形に形成して、フラップをスリットに差し込むことにより箱またはロ字形を閉じた状態に強固にロックすることができるダンボール梱包材を提供する。【解決手段】切目と折目が形成された平面状ダンボール材の前記折目を折り曲げることにより少なくとも１つのロ字形断面を形成し、かつ、前記ロ字形断面の天面が２枚重ねで形成されると共に下側の前記天面の縁部に第１のスリット１ｄを設け、上側の前記天面１ａの縁に下方に折り曲げられる第１のフラップ１ｅを設け、前記第１のフラップ１ｅが前記第１のスリット１ｄに差し込まれるダンボール梱包材において、前記第１のスリットの左右の縁を折り曲部から離れると中側に寄るように傾斜させた。【選択図】図１
2008265811.tif 000002
【特許請求の範囲】
【請求項１】
切目と折目が形成された平面状ダンボール材の前記折目を折り曲げることにより少なくとも１つのロ字形断面を形成し、かつ、前記ロ字形断面の天面が２枚重ねで形成されると共に下側の前記天面の縁部に第１のスリットを設け、上側の前記天面の縁に下方に折り曲げられる第１のフラップを設け、前記第１のフラップが前記第１のスリットに差し込まれるダンボール梱包材において、前記第１のスリットの左右の縁が折り曲部から離れると中側に寄るように傾斜していることを特徴とするダンボール梱包材の構造。
【請求項２】
切目と折目が形成された平面状ダンボール材の前記折目を折り曲げることにより少なくとも１つのロ字形断面を形成し、かつ、前記ロ字形断面の天面が２枚重ねで形成されると共に下側の前記天面の折り曲部近傍に第１のスリットを設け、上側の前記天面の縁に下方に折り曲げられる第１のフラップを設け、前記第１のフラップが前記第１のスリットに差し込まれ、さらに、前記第１のフラップの上縁に第２のスリットを設け、前記第２のスリットに差し込まれる第２のフラップを設けたダンボール梱包材において、前記第１のスリットの左右の縁が折り曲部から離れると中側に寄るように傾斜し前記第２のスリットの左右の縁が折り曲部から離れると中側に寄るように傾斜していることを特徴とするダンボール梱包材の構造。
【請求項３】
前記ロ字形断面と直角方向の断面もロ字形に形成され全体として長方形に形成される請求項１または２のダンボール梱包材の構造。
【請求項４】
前記第１のスリットまたは前記第２のスリットの左右の縁の傾斜角が４５°である請求項１から３のいずれかに記載したのダンボール梱包材の構造。
【請求項５】
前記第１のスリットまたは前記第２のスリットの長さが夫々前記第１のフラップおよび前記第２のフラップの幅より短くなっている請求項１から４のいずれかに記載したのダンボール梱包材の構造。
【発明の詳細な説明】
【技術分野】
【０００１】
この発明はダンボール梱包材に関する。
【背景技術】
【０００２】
従来から平面状ダンボール材を折り曲げて箱形に形成して、フラップをスリットに差し込むことにより箱を閉じた状態にロックするダンボール梱包材が知られている。そのような従来のダンボール梱包材を図７〜図１０により説明する。
【０００３】
図７にそのような従来のダンボール梱包材の例を展開図として示す。図７において、実線は外形線または切込線を示し、点線は折目を示している。図７に示すダンボール梱包材４を点線で示すで折目で曲げると、図９に示すように箱形に形成される。
【０００４】
実線で示す外形または切込線と点線で示す折目の延長線とで囲まれた部分は箱形に折り曲げると平面部または空間部となり、図９にも示す上側天面４ａ、下側天面４ｂ、胴面４ｃ、第１のスリット４ｄ、第２のスリット４ｆ、第１のフラップ４ｅ、第２のフラップ４ｇ等が形成される。
【０００５】
図７におけるＡ部詳細およびＢ部詳細が夫々図８（ａ）および図８（ｂ）に示されている。図９に示すように箱形に折り曲げた後、さらに、図１０に示すように、下側天面４ｂが下側になり、上側天面４ａが上側となるように折り曲げると、第１のフラップ４ｅが第１のスリット４ｄに嵌まり込み、さらに、第２のフラップ４ｇが第２のスリット４ｆに嵌まり込む位置に来る。第２のフラップ４ｇを第２のスリット４ｆに差し込んで下側天面４ｂと上側天面４ａが箱の上部空間を閉じた状態にロックされる。
【０００６】
上記したダンボール梱包材は、図８に示す第１のスリット４ｄおよび第２のスリット４ｆの幅Ａがダンボール材の厚さより広いため、図１０に示すように、スリットとフラップの間に隙間Ｂが生じて、スリットの中でフラップの位置が決まらず、嵌合が甘くなる。そして、品位的にも見劣りのするものとなる。そして、この箱の中に梱包される製品が膨れていると、胴部４ｃが外側に押し出されて不具合が顕著に現れる。
【発明の開示】
【発明が解決しようとする課題】
【０００７】
この発明は上記した点に鑑みてなされたものであって、その目的とするところは、平面状ダンボール材を折り曲げて箱形またはロ字形に形成して、フラップをスリットに差し込むことにより箱またはロ字形を閉じた状態に強固にロックすることができるダンボール梱包材を提供することにある。
【課題を解決するための手段】
【０００８】
この発明のダンボール梱包材の構造は、切目と折目が形成された平面状ダンボール材の前記折目を折り曲げることにより少なくとも１つのロ字形断面を形成し、かつ、前記ロ字形断面の天面が２枚重ねで形成されると共に下側の前記天面の縁部に第１のスリットを設け、上側の前記天面の縁に下方に折り曲げられる第１のフラップを設け、前記第１のフラップが前記第１のスリットに差し込まれるダンボール梱包材において、前記第１のスリットの左右の縁が折り曲部から離れると中側に寄るように傾斜しているものである。
【０００９】
また、この発明のダンボール梱包材の構造は、切目と折目が形成された平面状ダンボール材の前記折目を折り曲げることにより少なくとも１つのロ字形断面を形成し、かつ、前記ロ字形断面の天面が２枚重ねで形成されると共に下側の前記天面の折り曲部近傍に第１のスリットを設け、上側の前記天面の縁に下方に折り曲げられる第１のフラップを設け、前記第１のフラップが前記第１のスリットに差し込まれ、さらに、前記第１のフラップの上縁に第２のスリットを設け、前記第２のスリットに差し込まれる第２のフラップを設けたダンボール梱包材において、前記第１のスリットの左右の縁が折り曲部から離れると中側に寄るように傾斜し前記第２のスリットの左右の縁が折り曲部から離れると中側に寄るように傾斜しているものである。
【００１０】
また、前記各ダンボール梱包材の構造において、前記ロ字形断面と直角方向の断面もロ字形に形成され全体として長方形に形成されるものである。
【００１１】
また、前記各ダンボール梱包材の構造において、前記第１のスリットまたは前記第２のスリットの左右の縁の傾斜角を４５°としたものである。
【００１２】
また、前記各ダンボール梱包材の構造において、前記第１のスリットまたは前記第２のスリットの長さが夫々前記第１のフラップおよび前記第２のフラップの幅より短くなっているものである。
【発明の効果】
【００１３】
この発明のダンボール梱包材の構造によれば、梱包材を箱形またはロ字形にロックするために、スリットに差し込まれるフラップが定位置に強固に嵌合されるため、フラップのガタつきがなくなる。
【００１４】
また、箱の中に収容される製品が弾力により膨らんでいる場合にも、梱包材が形成する箱の壁が内側に引き寄せられるため、梱包後の外形寸法が矯正される。
【００１５】
また、スリットとフラップとの嵌合により結合される部分が正確に位置合わせされるため、箱の歪みが矯正される。
【００１６】
また、スリットとフラップとの間に隙間がないため、組み上がりがすっきりして美観が得られる。
【００１７】
また、スリットの長さをフラップの幅より短くしたものはスリットとフラップとが強嵌合となるため、容易にフラップがスリットから抜けて蓋が開くようなことがない。
【発明を実施するための最良の形態】
【００１８】
以下この発明を実施するための最良の形態を実施例に即して説明する。
【実施例１】
【００１９】
図１はこの発明の実施例１であるダンボール梱包材の展開図、図２（ａ）は図１におけるＡ部詳細図、図２（ｂ）は図１におけるＢ部詳細図、図３は同ダンボール梱包材を箱状に折り曲げて蓋を開いた状態を示す斜視図、図４は同ダンボール梱包材を箱状に折り曲げて蓋を閉じる状態を示す部分斜視図である。
【００２０】
図１において、実線は外形線または切込線を示し、点線は折目を示している。図１に示すダンボール梱包材１を点線で示すで折目で曲げると、図３に示すように箱形に形成される。実線で示す外形または切込線と点線で示す折目の延長線とで囲まれた部分は箱形に折り曲げると平面部または空間部となり、図３にも示す上側天面１ａ、下側天面１ｂ、胴面１ｃ、第１のスリット１ｄ、第２のスリット１ｆ、第１のフラップ１ｅ、第２のフラップ１ｇ等が形成される。
【００２１】
図１におけるＡ部詳細およびＢ部詳細が夫々図２（ａ）および図２（ｂ）に示されている。図３に示すように箱形に折り曲げた後、さらに、図４に示すように、下側天面１ｂが下側になり、上側天面１ａが上側となるように折り曲げると、第１のフラップ１ｅが第１のスリット１ｄに嵌まり込み、さらに、第２のフラップ１ｇが第２のスリット１ｆに嵌まり込む位置に来る。第２のフラップ１ｇを第２のスリット１ｆに差し込んで下側天面１ｂと上側天面１ａが箱の上部空間を閉じた状態にロックされる。
【００２２】
この実施例で従来例と異なる点は、第１のスリット１ｄおよび第２のスリット１ｆの寸法および形状である。図２に示すように、第１のスリット１ｄおよび第２のスリット１ｆの両端は折目から離れる方向に狭まるように４５°の傾斜を持たせてあることである。
【００２３】
また、この実施例では、図２（ｂ）に示すように、第１のスリット１ｄの長さはこれに差し込まれる第１のフラップ１ｅより片側で１〜２mm程度狭くしてある。なお、この寸法は使用するダンボール材の厚さにより、適宜設定することでその効果が高められる。
【００２４】
スリットの寸法および形状をこのようにすることで、差し込まれるフラップが正確に位置決めされると共に折目側に寄せられ箱の歪みが矯正される。また、スリットの長さがフラップの幅より狭いため、フラップがスリットに強嵌合され不用意に抜けたりすることがなくなる。しかも差し込み時に圧接部分が徐々にずれていくため、広い部分を同時に強嵌合するのに比べ差し込み作業が容易である。なお、スリット両端の傾斜角度を４５°とすることでフラップを押す十分な力が得られた。
【００２５】
また、第２のフラップ１ｇの折目に連なるように切目１ｈを入れてあるため、図４に示されているように第２のフラップ１ｇの付け根に凸片が形成され、第２フラップ１ｇを第２のスリット１ｆから容易に抜き出すことができる。
【実施例２】
【００２６】
図５はこの発明の実施例２であるダンボール梱包材の展開図、図６は同ダンボール梱包材を折り曲げて製品を梱包する途中を示す斜視図である。この実施例のダンボール梱包材２は付属品である液晶付き操作パネル３を本体と共にダンボール箱に梱包するとき、液晶付き操作パネル３の位置を固定するためのものである。
【００２７】
図５に示すダンボール梱包材２おいて、実線は外形線または切込線を示し、点線は折目を示している。図５に示すダンボール梱包材２を点線で示すで折目で曲げると、図６に示すようにロ字形に形成される。
【００２８】
実線で示す外形または切込線と点線で示す折目の延長線とで囲まれた部分は箱形に折り曲げると平面部または空間部となり、図６にも示す上側天面２ａ、下側天面２ｂ、胴面２ｃ、第１のスリット２ｄ、第１のフラップ２ｅ等が形成される。
【００２９】
図６に示す第１のフラップ２ｅを第１のスリット２ｄに差し込むと、前記ロ字形の一辺が固定される。第１のフラップ２ｅの両端は折目から離れる方向に狭まるように傾斜しているため、第１のフラップ２ｅは第１のスリット２ｄに正確に位置決めされると共に強嵌合され、また、上側天面２ａが外側に引張られロ字形形状の歪みが矯正される。そして、上側天面２ａが外側に引張られる反力により、胴面２ｃが内側に引張られて製品をしっかりと挟むことができる。
【００３０】
この実施例ではダンボール梱包材２の折り片が全て同一方向の谷折りであるため、残留弾力により開こうとする力が大きくなるが、フラップが強固に固定されて液晶付き操作パネル３をしっかりと包み込む力が得られる。
【００３１】
さらに、この実施例では胴面２ｃのに脚が形成されているため、底面で支えられた付属品に下方突出部がある場合にも治まりよく収納することができる。
【００３２】
実施例は以上のように構成されているが発明はこれに限られず、例えば、スリットの幅をダンボールの厚さより小さくすると、フラップを差し込みにくくなるが、スリットの幅をダンボールの厚さより僅かに小さくしてもこの発明の効果を得ることができる。
【図面の簡単な説明】
【００３３】
【図１】この発明の実施例１であるダンボール梱包材の展開図である。
【図２】図２（ａ）は図１におけるＡ部詳細図、図２（ｂ）は図１におけるＢ部詳細図である。
【図３】同ダンボール梱包材を箱状に折り曲げて蓋を開いた状態を示す斜視図である。
【図４】同ダンボール梱包材を箱状に折り曲げて蓋を閉じる状態を示す部分斜視図である。
【図５】この発明の実施例２であるダンボール梱包材の展開図である。
【図６】同ダンボール梱包材を折り曲げて製品を梱包する途中を示す斜視図である。
【図７】従来のダンボール梱包材の例を示す展開図である。
【図８】図８（ａ）は図７におけるＡ部詳細図、図８（ｂ）は図７におけるＢ部詳細図である。
【図９】同ダンボール梱包材を箱状に折り曲げて蓋を開いた状態を示す斜視図である。
【図１０】同ダンボール梱包材を箱状に折り曲げて蓋を閉じる状態を示す部分斜視図である。
【符号の説明】
【００３４】
１  ダンボール梱包材、１ａ  上側天面、１ｂ  下側天面、１ｃ  胴面、１ｄ  第１のスリット、１ｅ  第１のフラップ、１ｆ  第２のスリット、１ｇ  第２のフラップ、１ｈ  切目
２  ダンボール梱包材、２ａ  上側天面、２ｂ  下側天面、２ｃ  胴面、２ｄ  第１のスリット、１ｅ  第１のフラップ
３  液晶付き操作パネル
４  ダンボール梱包材、４ａ  上側天面、４ｂ  下側天面、４ｃ  胴面、４ｄ  第１のスリット、４ｅ  第１のフラップ、４ｆ  第２のスリット、４ｇ  第２のフラップ
【図１】
2008265811.tif 000003
【図２】
2008265811.tif 000004
【図３】
2008265811.tif 000005
【図４】
2008265811.tif 000006
【図５】
2008265811.tif 000007
【図６】
2008265811.tif 000008
【図７】
2008265811.tif 000009
【図８】
2008265811.tif 000010
【図９】
2008265811.tif 000011
【図１０】
2008265811.tif 000012